(57)【要約】【解決手段】複数の個別に調節可能なヘッドと、骨粗しょう症の骨幹骨へのプレートの優れた固定、骨折線の視覚化の改善、プレートと骨との良好な接触を達成する術中調節機能、術後の腱断裂のリスク削減、小さな掌側周縁片の固定の改善、および、特定の骨折の骨片の標的化および固定の改善、外科手術の時間短縮を達成する様々な特徴とを含む骨折固定用プレート、システムおよび方法が提供される。【特許請求の範囲】
【請求項１】
遠位端および近位端を有する細長い本体部を含む実質的に剛質のプレートを含み、
前記プレートが骨接触面および対向面を含み、
前記プレートが対応する複数の首部によって、前記本体部の前記遠位端に各々独立して連結される複数のヘッド部を含み、
前記首部の各々が規定する首部横軸に沿って前記本体部の遠位端から前記首部に対応するヘッド部に伸長し、
前記首部の各々は骨ファスナーを収容するように適合された複数のねじ穴を含み、
前記ねじ穴の各々が骨ファスナーの軸を規定し、
前記本体部が少なくとも１つの固定用穴を含み、
前記首部横軸の各々の間に形成され、かつ隣接した前記首部横軸の各々のうち一つの横角度を２０°〜４５°に設定した骨折固定プレート。
【請求項２】
前記複数のヘッド部および前記複数の首部が、２つのヘッド部および２つの首部を含む請求項１に記載の骨折固定プレート。
【請求項３】
前記ヘッド部、首部および本体部が、全体的にＹ字形状のプレートを構成するように配置されている請求項２に記載の骨折固定プレート。
【請求項４】
前記ヘッド部の一方が、尺骨の骨幹端骨折の骨片を固定するように適合されている請求項２に記載の骨折固定プレート。
【請求項５】
前記尺骨の骨幹端骨折の骨片を固定するように適合されている前記ヘッド部の前記骨接触面は実質的に球状の凹面である請求項４に記載の骨折固定プレート。
【請求項６】
前記ヘッド部の一方が橈骨の骨幹端骨折の骨片を固定するように適合されている請求項２に記載の骨折固定プレート。
【請求項７】
橈骨の骨幹端骨折の骨片を固定するように適合された前記ヘッド部の前記骨接触面は実質的に平面である請求項６に記載の骨折固定プレート。
【請求項８】
前記本体部の前記骨接触面が縦方向にシリンダー状の凹面である請求項１に記載の骨折固定プレート。
【請求項９】
前記ヘッド部の１つ以上が、前記ヘッド部に対応する前記首部を変形させることによって、前記本体部に対して個別に調節可能である請求項１に記載の骨折固定プレート。
【請求項１０】
前記固定用穴の少なくとも１つがねじ付きであり、かつ固定用ファスナーの軸を規定する請求項１に記載の骨折固定プレート。
【請求項１１】
Ｋワイヤーを収容するように適合された１つ以上の穴をさらに含む請求項１に記載の骨折固定プレート。
【請求項１２】
Ｋワイヤーを収容するように適合された前記穴の少なくとも１つが、前記複数のヘッド部の少なくとも１つに配置されている請求項１１に記載の骨折固定プレート。
【請求項１３】
前記複数のヘッド部の１つ以上に複数の縫合糸用穴をさらに含む請求項１に記載の骨折固定プレート。
【請求項１４】
前記複数の縫合糸用穴の少なくとも２つが、前記対向面上の前記縫合糸用穴間に延在する縫合糸用穴連通チャネルを通って連通する請求項１３に記載の骨折固定プレート。
【請求項１５】
前記２つの首部および２つのヘッド部が、それらの間に腱を収容しかつ腱に当たらないように適合された間隙を規定する請求項２に記載の骨折固定プレート。
【請求項１６】
前記本体部は、実質的に本体部平面を規定し、
前記複数のヘッド部は、実質的に複数のヘッド部平面を規定するとともに、
前記本体部平面と前記複数のヘッド部平面の各々との間に形成される高さ角度を１０°〜３０°に設定する請求項１に記載の骨折固定プレート。
【請求項１７】
骨折固定プレートに結合して使用するための無外傷性骨用ねじであって、
中央部、近位端および遠位端を有する延出軸を含み、
前記延出軸の前記近位端に位置するヘッド部を含み、
前記延出軸の遠位端における、滑らかに丸みを帯びた、骨に係合する端部を含み、
前記骨折固定プレート上のねじ穴に係合するように適合された前記ヘッド部上の外側ねじを含み、
骨に係合するように適合された、前記延出軸の前記中央部の少なくとも一部上の外側ねじを含む無外傷性骨用ねじ。
【請求項１８】
前記滑らかに丸みを帯びた、骨に係合する端部は半球を含む請求項１７に記載の無外傷性骨用ねじ。
【請求項１９】
骨折固定プレートに連結して使用するためのフックプレートにおいて、
第１の部分および第２の部分を有する実質的に剛性のプレートを含み、
当該第１の部分は前記骨折固定プレートに係合するように適合され、
当該第２の部分は骨片に係合するために前記骨折固定プレートの縁を覆うように形成され、
当該第１の部分は実質的に平面で形成されるとともに、第１の部分の平面を規定し、
当該第２の部分は当該第１の部分の平面の下側に湾曲するとともに、前記骨片に係合するように適合されるフックエンドで終わる少なくとも２つの突部を有し、
当該第１の部分はファスナーを使用して前記フックプレートを前記骨折固定プレートに取り付けるための長穴を含み、
当該第１の部分は、骨折固定プレートの締結より先に前記フックプレートを操作する張力タブを含み、
前記張力タブは取り外し可能であるフックプレート。
【請求項２０】
骨折固定プレートキットであって、
遠位端および近位端を有する細長い本体部を含む実質的に剛質のプレートを含み、
前記プレートが骨接触面および対向面を含み、
前記プレートが対応する複数の首部によって、前記本体部の前記遠位端に独立して連結される複数のヘッド部を含み、
前記ヘッド部の各々は骨ファスナーを受け入れるように適合された複数のねじ穴を含み、
前記ねじ穴の各々は骨ファスナー軸を規定し、
前記本体部は、少なくとも一つの固定用穴を含み、
さらに前記キットは、無外傷性骨用ねじ、カニューレ挿入式の可変角度ファスナー、フックプレート、ヘッドドリルガイド、Ｋワイヤー目標ガイド、本体ドリルガイド、プレート曲げ具およびプレートホルダーからなる組から選ばれた一つ以上の付属品を含む骨折固定プレートキット。
【発明の詳細な説明】
【技術分野】
【０００１】
本発明は一般に、骨折部の固定、特に橈骨遠位端骨折の掌側固定用プレートに関する。
【背景技術】
【０００２】
橈骨遠位端用の骨折固定プレートが当業界で公知である。特に、コーレス骨折の治療用の掌側骨折固定プレートが使用されることが多い。多くの既存の掌側プレートが効果的であるが、多くの場合、それらは、ａ）骨折部の良好な視覚化、ｂ）プレートと骨との間の良好な接触を得ること、ｃ）特定の骨片を標的化するための必要性があること、ｄ）小さな掌側周縁片（ｖｏｌａｒ  ｍａｒｇｉｎａｌ  ｆｒａｇｍｅｎｔ）の固定、および、ｅ）骨粗しょう症の骨幹骨の形態の、患者の病的状態などの状況に適合させることの手段、を提供するものではない。さらに、数は少ないが有意な数において、公知の骨折固定プレートおよび／またはそこに取り付けられたファスナーが、屈筋腱および／または伸筋腱に当たり、術後に腱損傷または腱断裂を生じることがある。
【発明の概要】
【発明が解決しようとする課題】
【０００３】
本発明の目的は、ａ）骨粗しょう症の骨幹骨へのプレートの優れた固定、ｂ）骨折線のより良好な視覚化、ｃ）プレートと骨とを良好に接触させる術中の調節機能、ｄ）術後の屈筋腱および伸筋腱の断裂のリスク削減、ｅ）小さな掌側周縁片の固定の改善、ｆ）特定の骨折した骨片の標的化および固定の改善、およびｇ）プレートを取り付ける外科手術を行うのに要求される時間の削減、を達成する独創的な特徴を提供することによって、従来公知の装置の制限を克服することにある。
【課題を解決するための手段】
【０００４】
本明細書において、橈骨遠位端用の掌側骨折固定プレートについて具体化した本発明を示して説明するが、本発明の趣旨から逸脱せずに、かつ特許請求の等価物の範囲内で様々な修正および構造的な変更を行い得るため、図示の詳細にのみ限定されるものではない。
【０００５】
しかしながら、本発明の構成は、追加的な目的およびその利点と共に、添付の図面と関連付けて読めば、以下の具体的に開示された実施形態の説明から最もよく理解できる。
以下の本発明の説明に関して、「底面」はプレートの骨接触面を指し、「上面」は対向面を指す。
【図面の簡単な説明】
【０００６】
【図１】本発明による骨折固定プレートの上面図である。
【図２】本発明による骨折固定プレートの底面図である。
【図３】本発明の追加的な特徴を示す図１の骨折固定プレートの追加的な上面図である。
【図４】本発明の追加的な特徴を示す図２の骨折固定プレートの追加的な底面図である。
【図５】骨折固定プレートの尺骨用ヘッド部にある穴によって規定されたスキュー軸を示す本発明による骨折固定プレートの上面正射図（ｔｏｐ  ｏｒｔｈｏｇｏｎａｌ  ｖｉｅｗ）である。
【図６】骨折固定プレートの橈骨用ヘッド部にある穴によって規定されたスキュー軸を示す本発明による骨折固定プレートの上面正射図である。
【図７】骨折固定プレートの尺骨用ヘッド部にある穴によって規定されたスキュー軸を示す本発明による骨折固定プレートの代替的な実施形態の上面正射図である。
【図８】骨折固定プレートの橈骨用ヘッド部にある穴によって規定されたスキュー軸を示す本発明による骨折固定プレートの代替的な実施形態の上面正射図である。
【図９Ａ】骨ファスナーおよびＫワイヤーが内部に取り付けられた本発明による骨折固定プレートの上面図（明瞭にするために半透視図）である。
【図９Ｂ】骨折固定プレートの尺骨側を示す、図９Ａの骨折固定プレートの縦断面である。
【図９Ｃ】骨折固定プレートの橈骨側を示す、図９Ａの骨折固定プレートの縦断面である。
【図１０Ａ】骨ファスナーが内部に取り付けられかつその相対位置を示すためにヒトの橈骨に重ね合わされた、本発明の代替的な実施形態による骨折固定プレートの上面図である。
【図１０Ｂ】骨折固定プレートの尺骨側を示す、図１０Ａの骨折固定プレートの縦断面である。
【図１０Ｃ】骨折固定プレートの橈骨側を示す、図１０Ａの骨折固定プレートの縦断面である。
【図１１】骨折固定プレートの骨接触面の様々な部分を示す、本発明による骨折固定プレートの底面正射図（ｂｏｔｔｏｍ  ｏｒｔｈｏｇｏｎａｌ  ｖｉｅｗ）である。
【図１２】骨折固定プレートの橈骨用ヘッド部の位置の調節機能範囲を示す、本発明による骨折固定プレートの底面正射図である。
【図１３】分水界線に対する位置を示す、ヒトの橈骨の掌面に設置された本発明による骨折固定プレートの代替的な実施形態の斜視図である。
【図１４】図１４Ａおよび図１４Ｂはヒトの橈骨の掌側にある屈筋腱と従来技術の単ヘッドの骨折固定プレートとの間の相対位置を示す図である。図１４Ｃはヒトの橈骨の掌側にある屈筋腱と、本発明による骨折固定プレートとの間の相対位置を示す図である。
【図１５】図１５Ａおよび図１５Ｂは、それぞれ、従来技術のねじ付きファスナー、および伸筋腱と、ヒトの橈骨の掌側に設置された骨折固定プレートに取り付けられた従来技術のねじ付きファスナーとの間の相対位置を示す。図１５Ｃおよび図１５Ｄは、それぞれ、本発明によるねじ付きファスナー、および伸筋腱と、ヒトの橈骨の掌側に設置された骨折固定プレートに取り付けられた本発明によるねじ付きファスナーとの間の相対位置を示す。
【図１６Ａ】本発明によるカニューレ挿入式の可変角度ファスナーの斜視図である。
【図１６Ｂ】本発明によるカニューレ挿入式の可変角度ファスナーの縦断面斜視図である。
【図１７Ａ】図１６Ａおよび図１６Ｂのカニューレ挿入式の可変角度ファスナーを装着するための手順を示す。
【図１７Ｂ】図１６Ａおよび図１６Ｂのカニューレ挿入式の可変角度ファスナーを装着するための手順を示す。
【図１７Ｃ】図１６Ａおよび図１６Ｂのカニューレ挿入式の可変角度ファスナーを装着するための手順を示す。
【図１７Ｄ】図１６Ａおよび図１６Ｂのカニューレ挿入式の可変角度ファスナーを装着するための手順を示す。
【図１７Ｅ】図１６Ａおよび図１６Ｂのカニューレ挿入式の可変角度ファスナーを装着するための手順を示す。
【図１７Ｆ】図１６Ａおよび図１６Ｂのカニューレ挿入式の可変角度ファスナーを装着するための手順を示す。
【図１７Ｇ】図１６Ａおよび図１６Ｂのカニューレ挿入式の可変角度ファスナーを装着するための手順を示す。
【図１７Ｈ】図１６Ａおよび図１６Ｂのカニューレ挿入式の可変角度ファスナーを装着するための手順を示す。
【図１７Ｉ】図１６Ａおよび図１６Ｂのカニューレ挿入式の可変角度ファスナーを装着するための手順を示す。
【図１８Ａ】本発明による縫合糸穴およびそれらの間の連通チャンネルを示す骨折固定プレートの代替的な実施形態の部分的な上面正射図である。
【図１８Ｂ】図１８Ａ中の骨折固定プレートの底面正斜図。
【図１９Ａ】本発明による掌側周縁片に骨折固定プレートと結合するために使用するフックプレートを示す。
【図１９Ｂ】本発明による掌側周縁片に骨折固定プレートと結合するために使用するフックプレートを示す。
【図１９Ｃ】本発明による掌側周縁片に骨折固定プレートと結合するために使用するフックプレートを示す。
【図１９Ｄ】本発明による掌側周縁片に骨折固定プレートと結合するために使用するフックプレートを示す。
【図１９Ｅ】本発明による掌側周縁片に骨折固定プレートと結合するために使用するフックプレートを示す。
【図１９Ｆ】本発明による掌側周縁片に骨折固定プレートと結合するために使用するフックプレートの第２の実施形態を示す。
【図１９Ｇ】本発明による掌側周縁片に骨折固定プレートと結合するために使用するフックプレートの第２の実施形態を示す。
【図１９Ｈ】本発明による掌側周縁片に骨折固定プレートと結合するために使用するフックプレートの第２の実施形態を示す。
【図１９Ｉ】本発明による掌側周縁片に骨折固定プレートと結合するために使用するフックプレートの第２の実施形態を示す。
【図２０Ａ】本発明による、予め装着されたヘッドドリルガイド、本体ドリルガイド、Ｋワイヤー目標ガイドおよびＫワイヤーとともに骨折固定プレートを示す。
【図２０Ｂ】本発明による、予め装着されたヘッドドリルガイド、本体ドリルガイド、Ｋワイヤー目標ガイドおよびＫワイヤーとともに骨折固定プレートを示す。
【図２１Ａ】本発明による骨折固定プレートに対するヘッドドリルガイド、本体ドリルガイド、Ｋワイヤー目標ガイドおよびＫワイヤーの組み立てを示す。
【図２１Ｂ】本発明による骨折固定プレートに対するヘッドドリルガイド、本体ドリルガイド、Ｋワイヤー目標ガイドおよびＫワイヤーの組み立てを示す。
【図２１Ｃ】本発明による骨折固定プレートに対するヘッドドリルガイド、本体ドリルガイド、Ｋワイヤー目標ガイドおよびＫワイヤーの組み立てを示す。
【図２１Ｄ】本発明による骨折固定プレートに対するヘッドドリルガイド、本体ドリルガイド、Ｋワイヤー目標ガイドおよびＫワイヤーの組み立てを示す。
【図２２Ａ】本発明によるヘッドドリルガイドを示す。
【図２２Ｂ】本発明によるヘッドドリルガイドを示す。
【図２２Ｃ】本発明によるヘッドドリルガイドを示す。
【図２２Ｄ】本発明によるヘッドドリルガイドを示す。
【図２２Ｅ】本発明によるヘッドドリルガイドを示す。
【図２３Ａ】本発明によるＫワイヤー目標ガイドを示す。
【図２３Ｂ】本発明によるＫワイヤー目標ガイドを示す。
【図２３Ｃ】本発明によるＫワイヤー目標ガイドを示す。
【図２３Ｄ】本発明によるＫワイヤー目標ガイドを示す。
【図２３Ｅ】本発明によるＫワイヤー目標ガイドを示す。
【図２４Ａ】本発明によるヘッドドリルガイドおよびＫワイヤー目標ガイドの代替的な実施形態の組み立てを示す。
【図２４Ｂ】本発明によるヘッドドリルガイドおよびＫワイヤー目標ガイドの代替的な実施形態の組み立てを示す。
【図２５Ａ】本発明による図２４Ａ、図２４ＢのＫワイヤー目標ガイドの代替的な実施形態を示す。
【図２５Ｂ】本発明による図２４Ａ、図２４ＢのＫワイヤー目標ガイドの代替的な実施形態を示す。
【図２５Ｃ】本発明による図２４Ａ、図２４ＢのＫワイヤー目標ガイドの代替的な実施形態を示す。
【図２５Ｄ】本発明による図２４Ａ、図２４ＢのＫワイヤー目標ガイドの代替的な実施形態を示す。
【図２５Ｅ】本発明による図２４Ａ、図２４Ｂのヘッドドリルガイドの代替的な実施形態を示す。
【図２５Ｆ】本発明による図２４Ａ、図２４Ｂのヘッドドリルガイドの代替的な実施形態を示す。
【図２５Ｇ】本発明による図２４Ａ、図２４Ｂのヘッドドリルガイドの代替的な実施形態を示す。
【図２５Ｈ】本発明による図２４Ａ、図２４Ｂのヘッドドリルガイドの代替的な実施形態を示す。
【図２６Ａ】本発明による本体ドリルガイドを示す。
【図２６Ｂ】本発明による本体ドリルガイドを示す。
【図２６Ｃ】本発明による本体ドリルガイドを示す。
【図２６Ｄ】本発明による本体ドリルガイドを示す。
【図２６Ｅ】本発明による本体ドリルガイドを示す。
【図２７Ａ】本発明によるプレート曲げ工具および骨折固定プレートと同一物の係合方法を示す。
【図２７Ｂ】本発明によるプレート曲げ工具および骨折固定プレートと同一物の係合方法を示す。
【図２８】本発明によるプレート曲げ具の使用方法および骨折固定プレートの曲げに係るプレートホルダーを示す。
【図２９Ａ】本発明による所望の調整を達成するためプレート曲げ具に力を加える目的のプレートホルダーおよびプレート曲げ具を使用した骨折固定プレートの組み立ての順序を示す。
【図２９Ｂ】本発明による所望の調整を達成するためプレート曲げ具に力を加える目的のプレートホルダーおよびプレート曲げ具を使用した骨折固定プレートの組み立ての順序を示す。
【図２９Ｃ】本発明による所望の調整を達成するためプレート曲げ具に力を加える目的のプレートホルダーおよびプレート曲げ具を使用した骨折固定プレートの組み立ての順序を示す。
【図２９Ｄ】本発明による所望の調整を達成するためプレート曲げ具に力を加える目的のプレートホルダーおよびプレート曲げ具を使用した骨折固定プレートの組み立ての順序を示す。
【発明を実施するための形態】
【０００７】
図１および図２を参照すると、骨接触面１０１および対向面１０２と、近位端および遠位端を有する直線的なまたはわずかに湾曲する細長い本体部１１０と、複数の個別に調節可能なヘッド部１２０、１３０とを有する、全体的に「Ｙ字」形状の骨折固定プレート１００を示す。複数のヘッド部は、その遠位方向に分岐する尺骨の横軸ｕ１および橈骨の横軸ｒ１の周りにおいて、本体部１１０に対して２０°以上であって、４５°以下の角度がつけられている。本発明の一実施形態では、掌側橈骨固定プレートとして使用するために、複数のヘッド部は、尺骨用ヘッド部１２０および橈骨用ヘッド部１３０として具体化される。ヘッド部１２０および１３０は、尺骨用首部１２５および橈骨用首部１３５によってそれぞれ独立して本体部１１０に連結され、それら首部は、本体部１１０の遠位端から角度をなして分岐し、かつ個別に調節可能である。本体部１１０は、骨の骨幹部分に固定されるものであり、一方、尺骨および橈骨用ヘッド部１２０および１３０は、それぞれ、尺骨および橈骨の骨幹端の骨折の骨片を固定するように適合されている。ヘッド部１２０と１３０との間、ならびに首部１２５と１３５との間に間隙１４０が形成されることによって、骨折線の良好な視覚化を可能にするとともに、屈筋腱の筋を干渉することなく調整させる。
【０００８】
図１および図２の骨折固定プレート１００は、ヒトの右側遠位橈骨の掌側に装着される掌側プレートに対応する。ヒトの左側遠位橈骨の掌側に装着するための掌側プレート（図示しない）は、骨折固定プレート１００の鏡像となるとともに、他の全ての点およびさらに詳細な本発明の実施形態については同一である。本明細書に言及された、本発明の全ての掌側プレートは、右側または左側遠位橈骨と、変化する解剖学に適した異なるサイズとに適応可能に理解されるべきである。
【０００９】
ここで、図１〜４を参照して説明すると、骨折固定プレート１００の橈骨用ヘッド部１３０は複数のねじ穴１６０を含む。この特定の実施形態では、橈骨用ヘッド部１３０は３つのねじ穴１６０を含む。ねじ穴１６０は、例えば、３つの穴１６０が存在する場合には三角形の頂点として、非線形に配置される。代替的な実施形態では、４つ以上のねじ穴１６０が存在し、それらねじ穴は、多角形の頂点として配置される。穴１６０は、ａ）固定角度関係（すなわち、穴１６０の軸に沿って）、または、ｂ）可変角度関係（すなわち、穴１６０の軸に対して非同一線上の、外科医によって術中に選択された軸に沿って）のいずれかにおいて、穴１６０のねじ山に係合するように適合されたねじ付きヘッドを有する骨ファスナー（すなわち、中実のまたは中空の（ｃａｎｎｕｌａｔｅｄ）スクリューまたは釘）を収容するためのものである。同様に、尺骨用ヘッド部１２０は、同様に配置されかつ橈骨用ヘッド部１３０にあるものと同様に機能を有する複数の穴のタイプ１６０を含む。
【００１０】
再度図１〜４を参照して説明すると、骨折固定プレート１００の橈骨用ヘッド部１３０は、任意選択的に、少なくとも１つのねじ山のない穴１６１を含む。穴１６１は、相補的なサイズのキルシュナー（Ｋｉｒｓｃｈｎｅｒ）鋼線（以下「Ｋワイヤー」）を、既定の角度関係で穴に通して、ヘッド部１３０の骨接触面１０１まで収容するためのものである。Ｋワイヤー（図９Ａ、図９Ｂ、および図９Ｃに示す）は、対向面１０２を通ってプレートに入り、骨接触面１０１を通って骨折固定プレートを出る。同様に、尺骨用ヘッド部１２０は、任意選択的に、橈骨用ヘッド部１３０の穴と同一の機能性を有する、少なくとも１つのＫ型の穴を備え、かつ、下記でさらに説明するように、任意選択的に、縫合糸を収容するために、相互に連結した穴１６４を備えてもよい。
【００１１】
図１〜４にさらに示すように、本実施形態では、本体部１１０は、少なくとも１つの固定用穴１６２を含み、これは、ねじ付きであり、かつ相補的なねじ付きヘッドを備える固定用ファスナーを収容するように適合されており、このねじ付きヘッドは、固定角度関係（すなわち：固定用穴１６２の軸と同一線上）で固定用穴１６２のねじ山と係合する。ねじ穴１６２の軸は、任意選択的に互いに対して斜めになっていてもよい（従来、非同一平面上と定義される）。さらに、本体部１１０は、任意選択的に、コンプレッションスクリューを収容する１つ以上のねじ山のない固定用スロット１６３を含み、外科手術中に、下側にある骨に対してプレートを一時的に別の場所に移すことができるようにし得る。本体部１１０は、任意選択的に、本体部を骨に一時的に固定するための、相補的なサイズにされたＫワイヤーを収容するための１つ以上の穴１６１を含む。
【００１２】
ここで図５〜６を参照すると、複数の穴１６０および１６２によって規定された軸ａ１〜ａ９を有する骨折固定プレート１００の一実施形態を示す。特定の骨折固定プレートにおける軸ａ１、ａ２．．．ａＮの実際の数は、骨折固定プレートの特定の実施形態に存在する穴１６０および１６２の数に応じる。尺骨用ヘッド部１２０の軸ａ１、ａ２およびａ３は、互いに対して斜めになっている（以前定義した通り非同一平面上）が、相互に平行する平面に存在する。橈骨用ヘッド部１３０の軸ａ４、ａ５、およびａ６も、互いに対して斜めになっており、かつまた、相互に平行する平面に存在する。しかしながら、第１の組の軸（ａ１、ａ２、ａ３）が存在する平行面は、第２の組の軸（ａ４、ａ５、ａ６）が存在する平行面に対して平行となっておらず、その代わりに、第１の組の平行面は、第２の組の平行面に対して遠位な方向に向かって分岐している。この配置は、ねじれの位置の直線が、関節にある少なくとも１つの骨の関節面の形状を模倣する面の形成に伴うものであるため、好都合である。本体部１１０の軸ａ７、ａ８およびａ９は、任意選択的に、互いに対して斜めになっていてもよい。これも、スキュー軸に沿って固定されたファスナーは、骨粗しょう症の骨の骨幹へのプレートの固定が、軸が平行である等価のファスナーよりも良好であるため、好都合である。
【００１３】
ここで図７〜８を参照すると、複数のねじ穴２６０および２６２によって規定された軸ｂ１〜ｂ１０を有する骨折固定プレート２００の代替的な実施形態を示す。この特定の実施形態では、尺骨用ヘッド部２２０は、四角形の頂点として配置された４つのねじ穴２６０を規定する。尺骨用ヘッド部２２０のねじ穴２６０の軸ｂ１、ｂ２、ｂ３およびｂ４は、互いに対して斜めになっているが、平行な平面に存在している。橈骨用ヘッド部２３０のねじ穴２６０の軸ｂ５、ｂ６およびｂ７も、互いに対して斜めになっており、かつまた、平行な平面に存在している。骨折固定プレート１００の場合、第１の組の軸（ｂ１、ｂ２、ｂ３およびｂ４）が存在する平行面は、第２の組の軸（ｂ５、ｂ６およびｂ７）が存在する平行面に対して平行となっていないが、その代わりに、第１の組の平行面は、第２の組に対して遠位な方向に向かって分岐している。本体部１１０に関して上述したように、本体部２１０のねじ穴２６２の軸ｂ８、ｂ９およびｂ１０も、互いに対して斜めになっている。
【００１４】
ここで図９Ａを参照すると、本発明の実施形態の一例における骨折固定プレート１００（明瞭にするために透視図）の平面図は、尺骨用ヘッド部１２０の軸ａ１、ａ２、ａ３並びに橈骨用ヘッド部１３０のａ４、ａ５およびａ６の整列を表示するように図示されている。図９Ｂおよび図９Ｃは、それぞれ骨折固定プレート１００の長手方向における断面図を示している。図９Ｂは、尺骨用ヘッド部１２０の軸ａ１、ａ２およびａ３の整列の、尺骨側の断面図を示している。図９Ｃは、橈骨用ヘッド部１３０の軸ａ４、ａ５およびａ６の整列の、橈骨側の断面図を示している。図９Ｂに示すように、尺骨用ヘッド部１２０は、長手方向の本体部１１０の骨接触表面の周縁によって規定された平面に対して１０°以上であって、３５°以下の角度β（すなわち、骨接触表面から離れている）で上向きに傾斜している。橈骨用ヘッド部１３０も同様に傾斜している。
【００１５】
ここで図１０Ａを参照すると、橈骨３００の遠位掌側の側面の斜視図を、明瞭にするために透視図で示す。この図は、本発明の代替的な実施形態の骨折固定プレート２００が正しい位置で骨３００に重ね合わせられた状態であり、かつ尺骨用ヘッド部２２０のねじ穴および対応するファスナーの軸ｂ１、ｂ２、ｂ３およびｂ４、および橈骨用ヘッド部２３０のねじ穴および対応するファスナー軸ｂ５、ｂ６およびｂ７の整列を示す。図１０Ｂおよび図１０Ｃはそれぞれ、骨折固定プレート２００の縦断面である。図１０Ｂは、尺骨用ヘッド部２２０のねじ穴および対応するファスナーの軸ｂ１、ｂ２、ｂ３およびｂ４の整列を示す。図１０Ｃは、橈骨用ヘッド部２３０のねじ穴および対応するファスナーの軸ｂ５、ｂ６およびｂ７の整列を示す。ヘッド部の各々のねじ穴２６０の軸の整列、および、それに対応して、そこに設置された骨ファスナーの軸は、互いに対して斜めになっていて、好都合にも、月状骨窩（ｌｕｎａｔｅ  ｆｏｓｓａ）および舟状骨窩（ｓｃａｐｈｏｉｄ  ｆｏｓｓａ）において関節面の軟骨下に支持をもたらす。図１０Ｂに示すように、尺骨用ヘッド部２２０は、長手方向の本体部２１０の骨接触表面の周縁によって規定された平面に対して１０°以上であって、３５°以下の角度β（すなわち、骨接触表面から離れている）で上向きに傾斜している。橈骨用ヘッド部２３０も同様に傾斜している。
【００１６】
ここで図１１を参照すると、本発明の骨折固定プレートの一実施形態１００の骨接触面１０１の特定の部分の斜視図を示す。尺骨用ヘッド部１２０では、骨接触面１７０は球状凹面である。橈骨用ヘッド部１３０では、骨接触面１７１は実質的に平面である。本体部１１０では、骨接触面１７２は、本体部１１０の縦軸に関してシリンダー状の凹面である。代替的な骨折固定プレートの実施形態では、任意選択的に、対応する面の同様の幾何学的特性を含んでもよい。
【００１７】
ここで図１２を参照すると、骨折固定プレート１００の橈骨用ヘッド部１３０の位置の調節機能の範囲を示し、１）ヘッド部１３０と１２０との間の分離Ｓ、２）骨表面に対するヘッド部１３０の高さＥ、および、３）橈骨首部１３５の縦軸ｒ１の周りでのヘッド部１３０の回転Ｒ。調節機能の範囲は、例として示し、限定を意図するものではない。調節は、後で詳述するように、適切な曲げ力および／またはトルク力を橈骨用首部１３５に適用するために、プレート曲げ工具を使用することによって達成され得る。調節は、プレート１００の骨接触面と、下にある骨および骨片との間を可能な限り最良に接触させるのを容易にするため、好都合である。橈骨用ヘッド部１３０を参照するものとして図１２に示すが、同様の位置調節は、尺骨用ヘッド部１２０でも成し遂げることができる。骨折固定プレートの代替的な実施形態は、任意選択的に、同様の位置調節の特徴を含み得る。
【００１８】
上述したように、本発明は、複数のヘッド部を備える骨折固定プレートを提供する。これは、術後の屈筋腱断裂のリスクを最小限にするために、特に好都合である。図１３を参照すると、分水界線３１０（橈骨遠位端の掌側周縁の最も掌側の境界を示す理論上の線）の直近位にある遠位橈骨（ｄｉｓｔａｌ  ｒａｄｉｕｓ  ｂｏｎｅ）３００の掌側に正しく設置された骨折固定プレート２００を示す。ここで図１４Ａを参照すると、橈骨遠位端の関節面を線図で示し、図中上側の掌側には、舟状骨窩３２０、月状骨窩３３０および窩間の溝（ｉｎｔｅｒ−ｆｏｓｓａｅ  ｓｕｌｃｕｓ）３４０、および分水界線３１０の縁を示す。屈筋腱３５０（例えば：長母指屈筋）も線図で示す。一部の患者では、窩間の溝３４０は、分水界線３１０において比較的浅く、このため、術後に屈筋腱３５０に当たることなく、分水界線３１０をちょうど越えたところで既存の単ヘッドの骨折固定プレート３６０（点線で示す）を正しく設置できるようにする。しかしながら、図１４Ｂに示すように、他の患者では、窩間の溝３４０は分水界線３１０においてはるかに深い。既存の単ヘッドのプレート（点線で示す）を設置すると、分水界線３１０の近位に正しく設置しても、前記プレートと屈筋腱３５０が術後に当たるようになり、腱滑膜炎または腱断裂をもたらすことがある。ここで図１４Ｃを参照すると、本発明の双ヘッドの骨折固定プレートの設置位置を点線で示し、プレートの橈骨用ヘッド部２３０と尺骨用ヘッド部２２０との間に間隙があることにより、前記ヘッドのいずれとも当たらないように、屈筋腱３５０を動かすことができる。
【００１９】
本発明のさらに好都合な態様では、術後の伸筋腱断裂のリスクを最小限にするために、ねじ付きファスナーが提供される。ここで図１５Ａ〜１５Ｄを、特に図１５Ａを参照すると、骨折固定プレート１００のねじ穴１６０に係合するねじ付きヘッド部４０１と、対向する骨に係合するねじ付きの尖った端部４０２とを有する、従来技術のねじ付きファスナー４００を示す。高い頻度で起こり得るように、図１５Ｂに示すように、ねじ付きファスナー４００の尖った端部４０２が、遠位橈骨３００の背面（ｄｏｒｓａｌ  ａｓｐｅｃｔ）をほんの少しでも貫通して突出する場合、尖った端部４０２は伸筋腱４２０に損傷を与え、断裂さえさせ得る。図１５Ｃに示すように、本発明は、骨折固定プレート１００のねじ穴１６０に係合するねじ付きヘッド部４５１と、対向する、無外傷性の、骨に係合する丸みを帯びた端部４５２とを有するねじ付きファスナー４５０を提供する。図１５Ｄに示すように、ねじ付きファスナー４５０が橈骨の背面を通って２ｍｍ突出する場合、ファスナーの丸みを帯びた端部４５２は伸筋腱４２０に損傷を与えることもないし、またはそれを断裂させることもない。
【００２０】
上述の通り、掌側骨折固定プレート１００、２００のねじ穴１６０、２６０は、穴１６０、２６０にあるねじ山に係合するように適合されたねじ付きヘッドを備えるファスナー（すなわち：中実の釘またはスクリュー）を収容するためのものである。これらのファスナーは、固定角度で、すなわち、対応する穴１６０、２６０の軸と同一線上に収容できる。しかしながら、本発明の目的の１つは、特定の骨折した骨片の標的化および固定を改善することであり、多くの場合、これは、固定角度ファスナーによって達成することは困難である。従って、この目的を達成するために、本発明の代替的な実施形態では、カニューレ挿入式の可変角度ファスナーを用い得る。
【００２１】
ここで図１６Ａ〜１６Ｂを参照すると、本発明と共に使用するように適合可能なカニューレ挿入式の可変角度ファスナー５００の一実施形態を示す。図１６Ａは、カニューレ挿入式の可変角度ファスナー５００、この例では、外科医が選択した角度でねじ穴１６０、２６０に係合するように適合された先細のねじ付きヘッド５０１を有するスクリューを斜視図で示す。カニューレ挿入式の可変角度ファスナー５００は、任意選択的に、骨片に係合するように適合されたねじ付き部分５０２を有し得る。
【００２２】
図１６Ｂは、可変角度ファスナー５００の縦断面斜視図を示し、このファスナーは、可変角度ファスナー５００の全長に延在しかつ両端部で開放している縦方向カニューレ５０３を備える。可変角度ファスナー５００のカニューレ５０３は、適切なサイズにされたＫワイヤー上にわたって挿入するように適合される。
【００２３】
図１７Ａ〜１７Ｉに示すように、カニューレ挿入式の可変角度ファスナー５００は、掌側プレート１００又は２００のねじ穴１６０，２６０の固定角度軸で使用されると好ましくない結果を導きうる。図１７Ａ，１７Ｂは、骨折固定プレート２００がねじ穴ｂ５の軸と同軸のねじ付ヘッドファスナー５２０とともに橈骨３００の掌側に正しく装着された状態を示す。特に、図１７Ｂに示すように、橈骨３００は明確にするため透明で示され、最も外側のねじ穴２６０の軸ｂ５は、固定角度ファスナー５２０が貫通して挿入されることで橈骨３００の範囲内の適切な位置の中に固定させる位置を決定する。しかしながら、異なる患者の比較的に小さい橈骨３００では、図１７Ｃおよび図１７Ｄに示すように、軸ｂ５に沿って挿入される固定角度ファスナー５２０は骨からはみ出る可能性があり、周囲の内部組織を傷つける原因となる可能性がある。この場合、外科医は図１７Ｃ中の軸ｂ５´のような別の軸を選択し得る。この軸ｂ５´は、軸ｂ５と同軸ではなく、それを通過するようにファスナーが挿入される。
【００２４】
これを達成するために、図１７Ｅに示すように、Ｋワイヤー５３０は、ねじ穴２６０を通じて導かれ、骨又は骨片の中に外科医によって選ばれた軸ｂ５´に沿ってドリルされる。外科医は、カニューレ挿入式のドリル（図示しない）を使用し、Ｋワイヤー５３０上を削ることで望ましい軸ｂ５´に位置が合った直線の空洞を形成する。さらに詳細に図１７Ｆ〜１７Ｇに示すように、カニューレ挿入式のドリルが取り外された後に、カニューレ挿入式の可変角度ファスナー５００はＫワイヤー５３０上に挿入され、カニューレ挿入式のドライバ（図示しない）でトルクが加えられることで骨片に係止した結果、図１７Ｇに示すように、可変角度ファスナー５００は正確な位置に配置される。図１７Ｈに示すように、橈骨３００´は明確にするため透明で示され、その後、Ｋワイヤー５３０は取り除かれた結果、可変角度ファスナー５００の正しい装着、すなわち、図１７Ｉに示される固定プレート２００が実現される。
【００２５】
外科医に選ばれた別の軸ｂ５´は骨折固定プレート２００のねじ穴２６０の軸ｂ５と同軸でなく、可変角度ファスナー５００のヘッド部の先細のねじ付きヘッド５０１はねじ穴２６０に固定的に螺合できるようにする必要がある。これを達成するために、可変角度ファスナー５００はプレート２００より硬い材料で形成することができる。例えば、プレート２００がチタニウムで形成されている場合は、可変角度ファスナー５００はコバルトクロムで形成される。
【００２６】
上述の通り、骨折固定プレート１００の尺骨用ヘッド部１２０は縫合糸用穴１６４を含み得る。複数の縫合糸用穴１６４にはねじ切りが施されていなく、また、これら縫合糸用穴１６４は相互に連通しており、かつ、骨の小さな掌側周縁片を張力で結合させるための縫合糸を収容するものである。図１８Ａおよび１８Ｂは、掌側骨折固定プレート１００の尺骨用ヘッド部１２０における縫合糸用穴１６４と、縫合糸の結び目を収容するように適合されたそれらの連通チャネル１６５とをより詳細に示す。必要に応じて、縫合糸用穴１６４が、任意選択的に、橈骨用ヘッド部１３０（図示せず）に設けられ得る。同様に縫合糸用穴１６４が本発明の骨折固定プレートにおける代替的な実施形態、例えば２００で設けられ得る。
【００２７】
縫合糸用穴１６４に加えて又は代えて、本発明は掌側周縁片を固定および縮小するためフックプレートを提供してもよい。ここで図１９Ａ〜１９Ｃを参照すると、各図にはフックプレート６００が示され、フックプレート６００は、掌側周縁片を固定するため、骨折固定プレート２００の尺骨用ヘッド部２２０に取り付けられるものである。図１９Ｂに示すように、フックプレート６００は、複数のフックエンド６０１と、単一の長穴６０２と、峡部６０７において切断可能な張力離脱タブ６０３と、フックプレートの変形の手術後の発見のための印６０８とを有する。一度、掌側周縁片は外科医が道具（図示しない）を橈骨の安定した部分について使用することによって一時的に縮小され、フックプレート６００は適切に装着された骨折固定プレート２００の尺骨用ヘッド部２２０の上に重ねられ、留めねじ６０５は、長穴６０２を通して挿入され、尺骨用ヘッド部２２０のねじ穴６０４の中に緩く通される。外科医は、その後でフックエンド６０１を掌側周縁片に係止し、張力離脱タブ６０３を、掌側周縁片の所望の縮小が達成されるまで引っ張ることで、張力をフックプレート６００に加える。図１９Ｄに示すように、留めねじ６０５は、次にねじ穴６０４の中で固く締結され、張力離脱タブ６０３は切り取り峡部６０７で曲げられることで取り外される。印６０８の位置は、将来参照するため手術後の変形を確認するべく記録される。図１９Ｅは、適切に装着された骨折固定プレート２００に強固に固定されている間、安定した橈骨３００に対して周縁片６２０を縮小させたフックプレート６００の組み付けの完成を示す。
【００２８】
図１９Ｆ〜１９Ｉは、フックプレート６００の張力離脱タブ６０３が張力ポート６０３´に代えられたフックプレート６００´の代替的な実施形態を示す。フックエンド６０１´が掌側周縁片６２０´に係止した後に、外科医は、張力ポート６０３´を道具（図示しない）で所望の縮小が達成されるまで引っ張ることで張力を加える。保持ねじ６０５´は、それからフックプレート６０５´を骨折固定プレート２００に取り付けるため、ねじ穴６０４の中で固く締結され、それにより、図１９Ｉに示すように、掌側周縁片６２０´の安定した縮小を得る。
【００２９】
加えて、保持ねじ６０５，６０５´を受け入れるように適合される尺骨用ヘッド部２２０のねじ穴６０４は橈骨の一部に対する一時的な固定のため既定の向きで貫通するＫワイヤーを受け入れるように適合される。図１９Ａおよび１９Ｆに示すように、ねじ穴６０４の軸φの既定の向きは、結果的に、例えば、引き出された弦、掌の背面、遠位橈骨の解剖学上の関節表面の縁の間と平行の受け入れられたＫワイヤーになる可能性がある。このような向きは、骨折固定プレート２００の本体部の骨の接触表面によって規定された平面に対して遠位に９８°から１０４°の角度をなす。
【００３０】
しかしながら、骨折固定プレート２００、フックプレート６００，６００´、保持ねじ６０５，６０５´およびねじ穴６０４に関して骨折固定プレート１００およびその他の本発明の代替的な実施形態が提供され得る。
【００３１】
代替的な実施形態の骨折固定プレート、システムおよび方法は、それらの別の実施形態において、外科医が外科的な手順を完了する時間を削減するために便利になり得る付属品を含む。具体的には、ここに開示されたドリルガイドおよびＫワイヤー目標ガイドは、各プレート１００，２００上に予め装着されて提供され得る。それによって、その外科中に装着に係る時間消費を不要とする。本発明の前記付属品の開示は図２０Ａ〜２６Ｅに示される。
【００３２】
ここで、図２０Ａ〜２１Ｄを参照すると、同各図には、骨折固定プレート２００が複数の予め装着されたヘッドドリルガイド７００、本体ドリルガイド８００およびＫワイヤー目標ガイド９００とともに示されている。しかしながら、骨折固定プレート２００、ヘッドドリルガイド７００、本体ドリルガイド８００およびＫワイヤー目標ガイド９００に関して言えば、骨折固定プレート２００およびその他の本発明の代替的な実施形態が提供され得る又は予め装着され得る。
【００３３】
ここで、図２２Ａ〜２２Ｅを参照すると、同各図には、近位端（図２２Ａ，Ｄ）、円筒本体部（図２２Ｂ）および遠位端（図２２Ｃ，Ｅ）を有するヘッドドリルガイド７００が示される。ヘッドドリルガイド７００の遠位端は、前記穴２６０のねじによって決定された軸に沿う骨折固定プレート２００の何れかのヘッド部中の何れかのねじ穴２６０に螺合するように適合された雄ねじ７１０を備える。ヘッドドリルガイド７００の本体部は内部に穴が開けられている。前記穴７２０は、ドリルの先（図示しない）を近接して受け取りおよび固定させ、挿入されて貫通するように適合されている。ヘッドドリルガイド７００の近位端は、以下により詳細に述べるように、Ｋワイヤー目標ガイド９００の中央ねじ部に適合されて螺合する雌ねじ７３０を備える。前記近位端はさらにトルク伝達工具（例えば、６角形の“Ａｌｌｅｎ”トルク伝達工具）を受け入れるように適合された雌凹部７４０を備える。
【００３４】
再度、図２１Ａ〜２１Ｃ、より詳細には図２３Ａ〜２３Ｅを参照すると、同各図にはＫワイヤー目標ガイド９００が示されている。ここで、図２３Ｂを参照すると、Ｋワイヤー目標ガイド９００は、遠位側延長部９１０、中央ねじ部９２０および近位側ヘッド部９３０を備える。Ｋワイヤー目標ガイド９００の遠位側延長部９１０は、ヘッドドリルガイド７００の穴部７２０の内部に受け入れられるように適合されている。Ｋワイヤー目標ガイド９００の外側中央ねじ部９２０はヘッドドリルガイド７００の近位端の雌ねじ７３０に螺合するように適合されている。Ｋワイヤー目標ガイド９００は、遠位側延長部９１０、中央ねじ部９２０および近位側ヘッド部９３０の全体にわたって穴が穿たれている。前記穴９４０は、挿入されて貫通したＫワイヤーを接近して受け入れおよび固定させるように適合されている。図２３Ａおよび図２３Ｄに示すように、近位側ヘッド部９３０は、トルク伝達工具（例えば、スクエアドライバ、図示しない）からのトルクを受け取ることに適合した内側凹部９５０を備える。
【００３５】
ここで、図２４Ａ〜２５Ｈを参照すると、同各図には、代替的な実施形態のヘッドドリルガイド７００´および目標ガイド９００´が示され、それらには、ヘッドドリルガイド７００´中に目標ガイド９００´を確実に結合し、ヘッドドリルガイド７００´をプレート１００，２００（図示しない）に結合するための、外側ねじ部９２０´およびそれに対応する内部ねじ９２０´´が示されている。
【００３６】
外科中、Ｋワイヤーが穿たれた穴９４０´に導かれて貫通した後、目標ガイド９００´はヘッドドリルガイド７００´から取り外され、よりドリルの先端（図示しない）を受けるべく、ファスナーのためにパイロット穴が形成された穴７２０´を通ってヘッドドリルガイド７００´から離れる。それを確実にするため、目標ガイド９００´の移動に際し、ヘッドドリルガイド７００´はその場所に残り、緩みを得るために抵抗トルクが、ヘッドドリルガイド７００´をプレート１００，２００に連結する外部ねじ７１０´より少ないことを要求する内部ねじ９２０´´とともに目標ガイド９００´を提供することは有利である。本発明の特定の一実施形態において、ねじ山の角度が外部ねじ７１０´より高いねじ９２０´，９２０´´を提供することで完成されている。組み付けられた目標ガイド９００´の内側凹部９５０およびヘッドドリルガイド７００´に同一のトルクが加えられた条件では、ねじ山角度が高いねじが先に緩む。限定する意図なく代表的には、ねじ９２０´，９２０´´は、ねじ７１０´に１条ねじで５〜４４のねじが形成されている場合、２条ねじで２〜５６のねじが形成される。
【００３７】
再度、図２１Ａおよび２１Ｄ、より詳細には図２６Ａ〜２６Ｅを参照すると、同各図には本体ドリルガイド８００が示されている。本体ドリルガイド８００は、近位端（図２６Ａおよび２６Ｄ）、外部円筒本体部（図２６Ｂ）および遠位端（図２６Ｃおよび２６Ｅ）を有する。本体ドリルガイド８００の遠位端は、前記ねじ穴２６２のねじによって決定される軸線に沿う、骨折固定プレート２００の本体部２１０の何れかのねじ穴２６２に螺合するように適合された外部ねじ８１０を備える。本体ドリルガイド８００の本体部には貫通した穴が形成されていて、前記穴８３０は、穴の軸線に対して直交する少なくとも３つの平面部８３５とともに断面において非円形（例えば、限定なくヘクスローブ）を有する。前記各平面部は、挿入されて貫通したドリルの先端を接近して受け入れるおよび固定するように形成され、断面の前記非円形は、トルク伝達工具（図示しない）から受けるトルクの許容範囲を増加させる。本体ドリルガイド８００の近位端は、追加的に、ドリルを案内する目的を達成したとき本体ドリルガイド８００の移動を許容するために、異なるトルク伝達工具（例えば、六角アレン（Ａｌｌｅｎ）ドライバー）からトルクを受けるように適合された内側凹部８４０を備える。
【００３８】
上述したように、ヘッドドリルガイド７００，７００´、Ｋワイヤー目標ガイド９００，９００´および本体ドリルガイド８００は外科的処置が行われる前に、骨折固定プレート１００，２００に予め装着されている。一時的な固定のためのＫワイヤーの装着、骨のファスナーを取り付けるためのパイロット穴の穴あけは多くの既存のプレートに要求され、それが外科医に提供され、そして外科処置中に適切にガイドが装着された結果、予め装着されたガイドは有利に外科処置が完了するまでに要求される時間の縮小に導く。
【００３９】
図１２を参照して前述したように、プレート曲げ工具は、プレート１００，２００の骨側接触面と下側にある骨および／又は骨片との間のできる限り最も良い接触を得るべく、橈骨用ヘッド部１３０，２３０および／又は尺骨用ヘッド部１２０，２２０の位置を調整するために適切な力が骨折固定プレート１００，２００における橈骨用首部１３５,２３５および／又は尺骨用首部１２５、２２５に加えられ得る。ここで、図２７Ａを参照すると、同図にはプレート曲げ具１０００が示され、プレート曲げ具１０００は、骨折固定プレート１００，２００の遠位又は近位ヘッド部に係合するように適合され、ヘッドドリルガイド７００，７００´を覆う複数の切欠き１０１０，１０２０と、ヘッドドリルガイド７００，７００´が存在しない又は取り外されているとき、遠位又は近位ヘッド部に係合するように適合された細切欠き１０３０とを備える。ここで、図２７Ｂは、骨折固定プレート２００の橈骨用ヘッド部２３０に係合するように適合した切欠き１０２０を有するプレート曲げ具１０００を示す。
【００４０】
ここで、図２８を参照すると、同図にはプレート曲げ具１０００および補助プレートホルダー１０５０が示されている。プレートホルダー１０５０の何れかの端の保持ノッチ１０５１に前記固定プレートが挿入された後、プレート曲げ具１０００に力が加えられているにも関わらず、プレートホルダー１０５０は、骨折固定プレート１００，２００を固定するように適合される。点線の矢印Ｅに示すように、近位から遠位の方向への前記力が骨折固定プレート１００に加えられているとき、橈骨用首部１３５，２３５が変形される。その結果、下側の骨表面に対する橈骨用ヘッド部１３０，２３０の高さが調整される。反対に、破線の矢印Ｒに示すように、横方向へプレート曲げ具１０００に力が加えられているとき、橈骨用首部１３５，２３５が変形される。その結果、下側の骨表面に対する橈骨用ヘッド部１３０，２３０の回転位置が調整される。
【００４１】
図２９Ａ〜２９Ｄは、所望の調整を達成するべくプレート曲げ具１０００に力を加える目的のプレート曲げ具１０００およびプレートホルダー１０５０とともに、プレート１００，２００（２００が示される）の組み立ての手順を説明する。ここで、図２９Ａを参照すると、本体ドリルガイド８００が予め装着されたプレート１００，２００の本体部は、矢印Δの方向でプレートホルダー１０５０の保持ノッチ１０５１の中に挿入される。まず、図２９Ｂに示すように、プレートホルダー１０５０によって特定の位置で確実に保持されたプレート曲げ具１０００は、プレート１００，２００のヘッド部（ヘッドドリルガイド７００，７００´が予め装着されているもの）の上に矢印Δ´の方向から挿入される。力は近位から遠位の方向Ｅ（図２９Ｃに示される）又はプレート１００，２００の対応する首部１３５，２３５の所望の変形を達成するために横方向に微かに加えられる。
【００４２】
上記のように、掌側骨折固定プレート、付属品、橈骨遠位の骨折の掌側固定のためのシステム又は方法に関連して説明したが、必要に応じて他の骨折を治療するために、本明細書の説明に従うが異なるサイズまたは規模の他のプレートを作製できるため、これらの説明は限定を意図するものではない。そのため、本発明を本明細書に図示しかつ説明するが、本発明の趣旨から逸脱せずにおよび特許請求の範囲の等価物の範囲内で様々な修正および構造的な変更を行ってもよい。
【図１】
2014530658.tif 000002
【図２】
2014530658.tif 000003
【図３】
2014530658.tif 000004
【図４】
2014530658.tif 000005
【図５】
2014530658.tif 000006
【図６】
2014530658.tif 000007
【図７】
2014530658.tif 000008
【図８】
2014530658.tif 000009
【図９Ａ】
2014530658.tif 000010
【図９Ｂ】
2014530658.tif 000011
【図９Ｃ】
2014530658.tif 000012
【図１０Ａ】
2014530658.tif 000013
【図１０Ｂ】
2014530658.tif 000014
【図１０Ｃ】
2014530658.tif 000015
【図１１】
2014530658.tif 000016
【図１２】
2014530658.tif 000017
【図１３】
2014530658.tif 000018
【図１６Ａ】
2014530658.tif 000019
【図１６Ｂ】
2014530658.tif 000020
【図１７Ａ】
2014530658.tif 000021
【図１７Ｂ】
2014530658.tif 000022
【図１７Ｃ】
2014530658.tif 000023
【図１７Ｄ】
2014530658.tif 000024
【図１７Ｅ】
2014530658.tif 000025
【図１７Ｆ】
2014530658.tif 000026
【図１７Ｇ】
2014530658.tif 000027
【図１７Ｈ】
2014530658.tif 000028
【図１７Ｉ】
2014530658.tif 000029
【図１８Ａ】
2014530658.tif 000030
【図１８Ｂ】
2014530658.tif 000031
【図１９Ａ】
2014530658.tif 000032
【図１９Ｂ】
2014530658.tif 000033
【図１９Ｃ】
2014530658.tif 000034
【図１９Ｄ】
2014530658.tif 000035
【図１９Ｅ】
2014530658.tif 000036
【図１９Ｆ】
2014530658.tif 000037
【図１９Ｇ】
2014530658.tif 000038
【図１９Ｈ】
2014530658.tif 000039
【図１９Ｉ】
2014530658.tif 000040
【図２０Ａ】
2014530658.tif 000041
【図２０Ｂ】
2014530658.tif 000042
【図２１Ａ．２１Ｄ】
2014530658.tif 000043
【図２１Ｂ−２１Ｃ】
2014530658.tif 000044
【図２２Ａ】
2014530658.tif 000045
【図２２Ｂ】
2014530658.tif 000046
【図２２Ｃ】
2014530658.tif 000047
【図２２Ｄ】
2014530658.tif 000048
【図２２Ｅ】
2014530658.tif 000049
【図２３Ａ】
2014530658.tif 000050
【図２３Ｂ】
2014530658.tif 000051
【図２３Ｃ】
2014530658.tif 000052
【図２３Ｄ】
2014530658.tif 000053
【図２３Ｅ】
2014530658.tif 000054
【図２４Ａ】
2014530658.tif 000055
【図２４Ｂ】
2014530658.tif 000056
【図２５Ａ】
2014530658.tif 000057
【図２５Ｂ】
2014530658.tif 000058
【図２５Ｃ】
2014530658.tif 000059
【図２５Ｄ】
2014530658.tif 000060
【図２５Ｅ】
2014530658.tif 000061
【図２５Ｆ】
2014530658.tif 000062
【図２５Ｇ】
2014530658.tif 000063
【図２５Ｈ】
2014530658.tif 000064
【図２６Ａ】
2014530658.tif 000065
【図２６Ｂ】
2014530658.tif 000066
【図２６Ｃ】
2014530658.tif 000067
【図２６Ｄ】
2014530658.tif 000068
【図２６Ｅ】
2014530658.tif 000069
【図２７Ａ】
2014530658.tif 000070
【図２７Ｂ】
2014530658.tif 000071
【図２８】
2014530658.tif 000072
【図２９Ａ】
2014530658.tif 000073
【図２９Ｂ】
2014530658.tif 000074
【図２９Ｃ】
2014530658.tif 000075
【図２９Ｄ】
2014530658.tif 000076
【図１４】
2014530658.tif 000077
【図１５】
2014530658.tif 000078
【国際調査報告】
2014530658.tif 000079
2014530658.tif 000080
2014530658.tif 000081
2014530658.tif 000082
2014530658.tif 000083
2014530658.tif 000084